(57)【特許請求の範囲】
【請求項１】
躯体に固定されるランナーレールと、このランナーレールに固定されるアンカー用固定金具と、このアンカー用固定金具に固定されるアンカーからなるアンカー装置であって、
前記アンカー用固定金具は、一対の対称物からなり、それぞれ、前記ランナーレールにスライドされるスライド部と、引寄手段によって引き寄せられる引寄部と、その引寄部が引き寄せられるときに前記アンカーを締付ける締付部及び前記ランナーレールに向けて前記スライド部を突張らせる突張部を備えていることを特徴とするアンカー装置。
【請求項２】
前記アンカー用固定金具の一対の対称物は、連結部により連結されていることを特徴とする請求項１に記載のアンカー装置。
【請求項３】
前記連結部はバネからなると共に、前記引寄部と前記突張部の開口幅が略等しくされて連結されていることを特徴とする請求項２に記載のアンカー装置。
【請求項４】
前記ランナーレールには、皿板が設けられることを特徴とする請求項１乃至３の何れかに記載のアンカー装置。
【請求項５】
躯体に固定されるランナーレールと、このランナーレールに固定され、且つ、一対の対称物からなるアンカー用固定金具と、このアンカー用固定金具に固定されるアンカーからなるアンカー装置を用いて、建材を躯体に固定する固定方法において、
前記一対の対称物のスライド部を前記ランナーレールに取り付け、
前記一対の対称物の引寄部を引き寄せて、前記一対の対称物の締付部により、建材に取り付けられた前記アンカーを締付けると共に、前記スライド部をランナーレールに向けて突張らせることを特徴とする固定方法。
【請求項６】
躯体に固定されるランナーレールと、このランナーレールに固定され、且つ、一対の対称物からなるアンカー用固定金具と、このアンカー用固定金具に固定されるアンカーからなるアンカー装置を用いて、建材が躯体に固定される固定構造において、
前記一対の対称物の引寄部が引き寄せられ、前記一対の対称物の締付部により前記アンカーが締付けられ、前記一対の対称物のスライド部がランナーレールに突張られた状態で、前記アンカーが取り付けられた建材が固定されていることを特徴とする固定構造。
【発明の詳細な説明】
【技術分野】
【０００１】
本願発明は、サッシ枠等の建材を無溶接で躯体に固定することができるアンカー装置、その装置による建材の躯体への固定方法及びその装置により構築される建材の躯体に対する固定構造に関する。
【背景技術】
【０００２】
サッシ枠等の建材をコンクリート造の躯体に固定する場合の従来技術は、溶接工法が主流である。
溶接工法は、特許文献１のように、アンカー３に立上り片３Ｃを設け、一方、躯体側に棒鋼４を埋込み、この棒鋼４と立上り片３Ｃとを溶接接続するものである。
同様の溶接工法として、特許文献２に係るサッシ位置決め装置は、サッシの上下辺，左右辺の各辺にそれぞれ複数個ずつ着脱可能に配置されかつサッシを溶接によりサッシ取付用開口部２の周縁に取付ける際にサッシ溶接のための金具として用いられるアンカー４が開示されている。
【先行技術文献】
【特許文献】
【０００３】
【特許文献１】実開昭５６−７４１７６号公報
【特許文献２】特開平９−８８４３１号公報
【発明の概要】
【発明が解決しようとする課題】
【０００４】
上記溶接工法の問題点を指摘すれば、次のようである。
（１）  溶接工法の作業は、所謂熟練工によらなければ、その作業が難しいとされており、熟練工の不足等で欠員が生じる場合には施工が困難である、
（２）  火花が出るため、サッシ枠を傷つけたり、完成品として出荷されるサッシ枠に既にセットされているガラスが破損する危険性がある、
（３）  事前に溶接機器の準備、電源の確保、消化器の準備が必要となり、作業中においても火花の養生が必要となり、躯体に建材を固定する場合の効率化が課題である、
（４）  施工場所によっては、作業員の感電防止のため、雨天での作業の見合わせ等が必要となり、環境に左右される、
（５）  火花や煙が作業員に与える悪影響が問題となり、かかる配慮は周囲の環境にも必要であり、また、電力を使うため省エネ、ＣＯ２の削減等の環境問題を考慮する必要がある、
（６）  溶接後の検査により、火花によるサッシの汚れが判明した場合に、溶接焼け補修費の負担が生じるおれそがある。
【０００５】
そこで、出願人は、建材を躯体に無溶接で取り付けることができるアンカー装置、その装置により構築される固定構造及びその装置による建材の躯体への固定方法を提供することにより、熟練工の労働力不足を改善させる、完成品出荷のガラスの保護を図る、サッシ固定の効率化を図る、環境に左右されずに、また環境に適合させる、溶接焼け補償費の低減を図ることを目的とする。
【課題を解決するための手段】
【０００６】
上記課題を解決するため、本願発明は、躯体に固定されるランナーレールと、このランナーレールに固定されるアンカー用固定金具と、このアンカー用固定金具に固定されるアンカーからなるアンカー装置であって、前記アンカー用固定金具は、一対の対称物からなり、それぞれ、前記ランナーレールにスライドされるスライド部と、引寄手段によって引き寄せられる引寄部と、その引寄部が引き寄せられるときに前記アンカーを締付ける締付部及び前記ランナーレールに向けて前記スライド部を突張らせる突張部を備えていることを特徴とするアンカー装置とした（請求項１に記載の発明）。
【０００７】
前記アンカー用固定金具の一対の対称物は、連結部により連結されていることを特徴とするアンカー装置とした（請求項２に記載の発明）。
【０００８】
前記連結部はバネからなると共に、前記引寄部と前記突張部の開口幅が略等しくされて連結されていることを特徴とするアンカー装置とした（請求項３に記載の発明）。
【０００９】
前記ランナーレールには、皿板が設けられることを特徴とするアンカー装置とした（請求項４に記載の発明）。
【００１０】
上記課題を解決するため、本願発明は、躯体に固定されるランナーレールと、このランナーレールに固定され、且つ、一対の対称物からなるアンカー用固定金具と、このアンカー用固定金具に固定されるアンカーからなるアンカー装置を用いて、建材を躯体に固定する固定方法において、前記一対の対称物のスライド部を前記ランナーレールに取り付け、前記一対の対称物の引寄部を引き寄せて、前記一対の対称物の締付部により、建材に取り付けられた前記アンカーを締付けると共に、前記スライド部をランナーレールに向けて突張らせることを特徴とする固定方法とした（請求項５に記載の発明）。
【００１１】
上記課題を解決するため、本願発明は、躯体に固定されるランナーレールと、このランナーレールに固定され、且つ、一対の対称物からなるアンカー用固定金具と、このアンカー用固定金具に固定されるアンカーからなるアンカー装置を用いて、建材が躯体に固定される固定構造において、前記一対の対称物の引寄部が引き寄せられ、前記一対の対称物の締付部により前記アンカーが締付けられ、前記一対の対称物のスライド部がランナーレールに突張られた状態で、前記アンカーが取り付けられた建材が固定されていることを特徴とする固定構造とした（請求項６に記載の発明）。
【発明の効果】
【００１２】
本願発明によれば、熟練を要することなく、建材を躯体に固定できるので、建設業の熟練工等の労働力不足を改善させることができる。また、完成品出荷のガラスの保護を図ることができる。また、サッシ固定の効率化を図ることができる。また、環境に左右されずに、環境に適合させることができる。さらに、溶接焼け補償費の低減を図ることができる。
【図面の簡単な説明】
【００１３】
【図１】本発明に係るアンカー装置を用いて構成される、建材の躯体に対する固定構造の断面図、
【図２】同装置を構成するランナーレールの正面図（Ａ）及び平面図（Ｂ）、
【図３】同装置を構成するアンカー用固定金具の斜視図、
【図４】同正面図（Ａ）及び側面図（Ｂ）、
【図５】同装置を構成するアンカーの平面図（Ａ）及び正面図（Ｂ）、
【図６】下枠と皿板を躯体に固定する場合のアンカー装置を用いた、建材の躯体に対する固定構造の断面図、
【図７】同側面図、
【図８】本発明に係るアンカー装置を用いて建材を躯体に固定する固定方法における手順の詳細説明図、
【図９】同装置を用いて躯体に固定された建材の固定構造の要部詳細説明図である。
【発明を実施するための形態】
【００１４】
本願発明に係るアンカー装置１は、図１のようにコンクリート造の躯体１０に固定されるランナーレール２と、このランナーレール２に固定されるアンカー用固定金具３と、このアンカー用固定金具３に固定されるアンカー４から構成され、前記アンカー４が無溶接にて躯体に固定されている構造となっている。
図１において、前記アンカー４が取り付けられている建材としてのサッシ枠は、上枠５であり、左右たて枠（図示せず）用のアンカー装置１も略同様のものとなっており、以下においては、このアンカー装置１の構成例を説明する。
なお、下枠６を固定する場合のアンカー装置１Ａは、後述の図６及び図７に示されている。
【００１５】
前記ランナーレール（以下、単にレールとも称する）２は、図２に図示されているように、断面形状が略Ｃ字状に形成されているピース材状のもので、サッシ枠の上枠５及び左右たて枠用に、少なくとも１本が躯体１０に固定される。
前記レール２は、その自由端２０、２０を介してアンカー用固定金具３をスライドさせたり、固定できるようになっている。
このピース材状のレール２は、サッシ枠の上枠５及び左右たて枠に対して、所定の角度で斜めに固定されるもので、そのレール２にアンカー用固定金具３介してサッシ枠を固定する際に、サッシ枠の出入り方向（室内外方向）の位置付が調整可能にされている。
【００１６】
前記アンカー用固定金具３は、図３及び図４に図示されているように、一対の対称物の金具片からなる本体３０と、これらを連結する連結部としてのバネ３１と、一対の金具片を引寄せる引寄手段であるネジ３２を備えている。
【００１７】
前記本体３０は、前記バネ３１の先端３１０を取り付ける取付部３００、３００と、ネジ３２により引き寄せられる引寄部３０１、３０１と、これらの引寄部３０１、３０１が引寄せられるときに、前記アンカー４の角部４１（図５等参照）の外周を締付ける締付部３０２、３０２と、前記ランナー２の自由端２０、２０をスライドし、同自由端２０、２０に係止される前スライド部３０３、３０３及び後スライド部３０４、３０４と、前記引寄部３０１、３０１が引き寄せられるときに、前記前スライド部３０３、３０３を前記自由端２０、２０に突っ張らせる突張部３０５、３０５を備えている。
【００１８】
前記取付部３００、３００は、前記引寄部３０１、３０１及び前記突張部３０５、３０５の各自由端部に形成され、前記バネ３１の先端３１０を挿通させる孔からなる。
よって、前記バネ３１の付勢力が前記引寄部３０１、３０１及び前記突張部３０５、３０５を広げるように作用している。
【００１９】
前記引寄部３０１、３０１には、ネジ用の孔３０１Ａ、３０１Ｂが形成され、そのネジ山が切られたタップ孔３０１Ａにネジ３２を旋回させることにより、引き寄せられるようになっている。
【００２０】
前記締付部３０２、３０２は、前記アンカー４の角部４１の外形に合わせて形成されるもので、ここでは半円状に形成され、引寄部３０１、３０１が引き寄せられると略筒状に変化できるようにされている。
【００２１】
前後スライド部３０３、３０３、３０４、３０４は、前記引寄部３０１、３０１及び前記突張部３０５、３０５の各自由端部に形成され、且つ、前記ランナー２の自由端２０、２０をスムースに移動できるように、さらに、前記引寄部３０１、３０１が引寄せられるときに、前スライド部３０３、３０３が前記レール２の自由端２０、２０を噛むことができるような切欠から構成されている。
【００２２】
前記突張部３０５、３０５の間のスペースＳは、バネ３１により前記引寄部３０１、３０１の間のスペースＳと同様に維持されているが、前記引寄部３０１、３０１が引寄せられると、前記前スライド部３０３、３０３を前記レール２の自由端２０、２０に押し当てて、ささえる状態を維持できるように、略ハの字状に変化される（図９参照）。
前記突張部３０５、３０５の自由端部には、アンカー用固定金具３を前記アンカー４の角部４１に挿入させる場合に、その挿入をスムースに行わせるためのラウンド部３０６、３０６が形成されている。
【００２３】
前記バネ３１は一枚の板バネを切り曲げたものであり、４枚のバネ片３１１〜３１４とこれらを結合させる結合部３１５からなり、各バネ片３１１〜３１４は、結合部３１５からＸ字状に延びる片持ばり状に構成される。
バネ片３１１〜３１４の各先端３１０に作用にされる付勢力により、本体３０は、その前スライド部３０３、３０３と後スライド部３０４、３０４との開口幅Ｗ１が等しい状態で、連結されている。この開口幅Ｗ１は、前記レール２の自由端２０、２０の幅Ｗ２（図２参照）に略等しく形成されており、その結果、レール２に対する前記本体３０の固定やスライドを容易にしている。
前記アンカー用固定金具３の一対の金具片を連結する連結部として、前記バネ３１が用いられているが、この構成に限定されることなく、例えば前記引寄部３０１、３０１の各自由端部のみを連結するバネでもよい。
【００２４】
前記アンカー４は、図５のように、サッシ枠に取り付けられるアンカー本体４０と、この本体４０に固定される角部４１からなる。
前記アンカー本体４０は、その中央部に前記角部４１を固定すると共に、サッシ枠のヒレを挟込む爪部４２を備えている。
なお、角部４１の形状は円形に限定されることはなく、例えば四角形や多角形でもよく、ネジのように円形に螺旋部を設けたものでもよい。
【００２５】
図６及び図７のように、下枠６には皿板６０を取り付ける必要から、下枠６を固定する場合のアンカー装置１Ａは、ランナーレール２Ａ及びアンカー４Ａを備えている。
前記ランナーレール２Ａは、躯体１０の傾斜にそった傾斜部２１を備え、且つ、その側面に皿板６０に取り付けられた皿板アンカー６Ａが固定される。
なお、皿板６０を下枠６にネジ止め（図示せず）した状態で、皿板アンカー６Ａをランナーレール２Ａと当接する位置まで、皿板６０の長手方向を移動させることができる。
前記アンカー４Ａは、アンカー本体４０からＬ字状に折り曲げられた折曲部４３が設けられ、ここに角部４１が固定されている。
その他は、前記アンカー装置１と略同様の構成である。
【００２６】
以上の構成による前記アンカー装置１により、次のような作用効果を得ることができる。
（１）  ネジ３２による引寄部３０１、３０１の引寄せにより、締付部３０２、３０２による前記アンカー４の角部４１の締付けと、前記突張部３０５、３０５による前記ランナー２の自由端２０、２０への固定を同時に行うことができ、施工性を向上させることができる。
（２）  ネジ３２による引寄部３０１、３０１の引寄せには、バラつきが生じにくく、熟練等が不要であって、この点でも施工性を向上させることができる。
（３）  前記アンカー用固定金具３の一対の対称物の金具片からなる本体３０は、前記バネ３１により連結されているので、レール２に対する前記本体３０の固定やスライドを容易にしている。
【００２７】
以上のような構成のアンカー装置１、１Ａを用いて、建材を躯体に固定する固定方法について説明する。
【００２８】
施工現場に合わせて、ランナーレール２、２Ａを躯体１０に固定すると共に、アンカー４、４Ａをサッシ枠に取り付ける。ここで、ランナーレール２、２Ａを躯体１０に固定する工程と、アンカー４、４Ａをサッシ枠に取り付ける工程の後先は問われることはない。
そして、サッシ枠の各枠と各ランナーレールが出入り方向で対向した状態となるように、サッシ枠を室内側から躯体側に設置する。
【００２９】
サッシ枠の固定順としては、まず下枠６を躯体に固定し、次に上枠５及び左右たて枠の出入り方向を調節しつつ、躯体に固定する。
上述のように、上枠５又は左右たて枠を固定するためのランナーレール１は、各枠の長手方向に対して、平行ではなく所定の角度で斜めに固定する。
また、下枠６を固定するためのランナーレール２Ａは、躯体１０の出入り方向における傾斜に沿わせるように、且つ、複数のピース材を所定間隔で固定する。
【００３０】
前記アンカー用固定金具３の使用方法は、上下枠５、６及び左右たて枠において共通することから、上枠５の場合を例示する。
【００３１】
まず、前記ランナーレール２にアンカー用固定金具３を挿入する。
即ち、図８のように、前記レール２の自由端２０、２０に、アンカー用固定金具３の前後スライド部３０３、３０３、３０４、３０４を取り付ける。
この場合、前記レール２の端部から、その自由端２０、２０に沿ってアンカー用固定金具３をスライドさせてもよいし、本体３０を摘まんで開口幅Ｗ１を縮めて、前記自由端２０、２０に前後スライド部３０３、３０３、３０４、３０４を係止させてもよい。
次に、前記アンカー用固定金具３の突張部３０５、３０５のスペースＳで形成されている開口３０５Ａから、アンカー４の角部４１を挿入するように、アンカー用固定金具３をスライド移動させ、その角部４１を挟み込む。
その後、上枠５の位置を調整しつつ、アンカー用固定金具３の引寄部３０１、３０１をネジ３２により引寄せ、締付部３０２、３０２により角部４１を締め付け固定すると略同時に、アンカー用固定金具３の突張部３０５、３０５を開くようにして、前記レール２に突張らせる。その結果、前スライド部３０３、３０３の切欠が前記レール２の自由端２０、２０に噛み込まれ、強固に固定される。
なお、ねじ３２によって引寄部３０１、３０１を引き寄せる際、現場や作業の状況によって、ねじ３２の先端側の後スライド部３０４（図９において左側）がランナーレール２の自由端２００に当接したまま、ねじ３２の頭側の後スライド部３０４（図９において右側）のみが引き寄せられる場合もあるが、固定力が落ちることはない。
【００３２】
以上のような固定方法により、躯体１０にランナーレール２、２Ａが固定され、アンカー４が取り付けられたサッシ枠が固定されると共に、図９のように、前記アンカー用固定金具３の引寄部３０１、３０１が引き寄せられ、締付部３０２、３０２により前記アンカー４の角部４１が締付けられ、前記前スライド部３０３、３０３が前記レール２に突っ張られた状態で、サッシ枠が躯体に固定される固定構造となっている。
【００３３】
以上のように構成されるアンカー装置、このアンカー装置による躯体に対するサッシ枠の固定方法、同固定構造による作用効果を纏めたると、次の通りである。
（４）  アンカー用固定金具により、無溶接でサッシ枠等の建材を躯体に取り付けることができ、火花を出さないため、サッシ枠を傷つけたり、完成品として出荷されるサッシ枠に既にセットされているガラスが破損することはない。
（５）  無溶接工法であることから、熟練を要せずに、施工することができ、熟練工の不足、欠員が生じる場合の施工の困難性が解消される。
（６）  事前の溶接機器の準備、電源の確保、消化器の準備は不要となり、また、作業中においても火花の養生が不要となり、躯体に建材を固定する場合の効率化が図られる。
（７）  施工場所の環境に左右されずに、施工することができる。
（８）  火花や煙が作業員に与える悪影響が問題とならず、電力を使うことがないため省エネ、ＣＯ２の削減等の環境問題にも適合する。
（９）  溶接後の検査による溶接焼け補修費の負担が生じるおれそがない。
【００３４】
本発明は以上説明した実施形態に限定されるものではなく、多くの変形が本発明の技術的思想内で当分野において、通常の知識を有する者により可能である。
例えば、アンカー用固定金具３は、ネジ３２の頭部が室内側を向いていれば、前後スライド部３０３、３０３、３０４、３０４を逆にランナーレール２、２Ａにスライドしてもよく、金具に勝手を設けてもよい。
また、皿板６０は皿板アンカー６Ａを介してランナーレール２Ａに固定してから、下枠にネジ止めしてもよい。
【符号の説明】
【００３５】
１  １Ａ  アンカー装置
１０  躯体
２  ２Ａ  ランナーレール
２０、２０  自由端                      ２１  傾斜部
３  アンカー用固定金具
３０  本体
３００、３００  取付部                  ３０１、３０１  引寄部
３０１Ａ  ３０１Ｂ  ネジ用の孔          ３０２、３０２  締付部
３０３、３０３  前スライド部            ３０４、３０４  後スライド部
３０５、３０５  突張部                  ３０５Ａ  開口
３０６、３０６  ラウンド部
３１  バネ
３１０  バネの先端                      ３１１〜３１４  バネ片
３１５  結合部
３２  ネジ
４  ４Ａ  アンカー                      ４０  アンカー本体
４１  角部                              ４２  爪部
４３  折曲部
５  上枠
６  下枠
６０  皿板                              ６Ａ  皿板アンカー
Ｗ１  開口幅                            Ｗ２  幅
【図１】
0006392075.tif 000002
【図２】
0006392075.tif 000003
【図３】
0006392075.tif 000004
【図４】
0006392075.tif 000005
【図５】
0006392075.tif 000006
【図６】
0006392075.tif 000007
【図７】
0006392075.tif 000008
【図８】
0006392075.tif 000009
【図９】
0006392075.tif 000010